(57)【要約】【課題】機能部の構成が異なっても、オーバーフロー管の取り回しや接続作業を容易に行うことができる水洗大便器装置を提供する。【解決手段】水洗大便器装置は、タンク装置から便器本体に洗浄水が供給される水洗大便器装置であって、タンク装置は、便器本体に供給される洗浄水が貯留部３２Ａに貯留され、開口部３２Ｂが形成されたタンク本体３２と、タンク本体３２の開口部３２Ｂに着脱可能に取り付けられ、内部空間２４Ｃがタンク本体３２の貯留部３２Ａに連通する連結ユニット１４と、を備え、連結ユニット１４には、オーバーフロー管が接続され、内部空間２４Ｃの洗浄水を外部に逃がすことができるオーバーフロー開口２４Ｂが形成されている。【選択図】図３
2020051236.tif 000002
【特許請求の範囲】
【請求項１】
タンク装置から便器本体に洗浄水が供給される水洗大便器装置であって、
前記タンク装置は、
前記便器本体に供給される洗浄水が貯留部に貯留され、開口部が形成されたタンク本体と、
前記タンク本体の前記開口部に着脱可能に取り付けられ、内部空間が前記タンク本体の貯留部に連通する連結ユニットと、を備え、
前記連結ユニットには、オーバーフロー管が接続され、前記内部空間の洗浄水を外部に逃がすことができるオーバーフロー開口が形成されている、ことを特徴とする水洗大便器装置。
【請求項２】
前記連結ユニットには、前記内部空間へ洗浄水を供給する給水管が接続される給水口が形成されている、請求項１に記載の水洗大便器装置。
【請求項３】
前記給水口は前記開口部に対して水平方向に偏心して設けられている、請求項２に記載の水洗大便器装置。
【請求項４】
前記給水口の鉛直下方に前記開口部に向かって傾斜する傾斜面が設けられている、請求項３に記載の水洗大便器装置。
【請求項５】
前記連結ユニットのオーバーフロー開口の上方には、前記内部空間と外部とを連通させる、第２のオーバーフロー開口が設けられている、請求項１〜４の何れか１項に記載の水洗大便器装置。
【請求項６】
前記連結ユニットには、前記タンク本体の前記開口部に接続される給水開口部が形成されており、
前記連結ユニットは、前記給水開口部が洗浄水により密閉されるのを防止する密閉防止手段を有する、請求項１〜５の何れか１項に記載の水洗大便器装置。
【請求項７】
前記密閉防止手段は、前記給水開口部内を水平断面内において前記洗浄水が流れる洗浄水流路と、空気が流れる空気流路とに区画する壁部を有する、請求項６に記載の水洗大便器装置。
【請求項８】
前記壁部の側方において、前記空気流路は前記内部空間に連通している、請求項７に記載の大便器装置。
【請求項９】
前記壁部の上方において、前記空気流路は前記内部空間に連通している、請求項７に記載の大便器装置。
【請求項１０】
前記密閉防止手段は、さらに、一端が外部に連通する空気逃がし流路を形成する空気流路形成部材を含み、
前記空気流路は前記空気逃がし流路の他端に連通している、請求項７に記載の大便器装置。
【発明の詳細な説明】
【技術分野】
【０００１】
本発明は、水洗大便器装置に関し、特に、タンク装置から便器本体に洗浄水が供給される水洗大便器装置に関する。
【背景技術】
【０００２】
水洗大便器として、例えば特許文献１に記載されているような、便器本体と、便器本体の後方に配置される機能部とを有する、一体型の大便器が知られている。近年、デザイン性を向上するために、便器の小型化が進んでいる。このため、特に一体型の大便器では、便器本体の後方の機能部に収納される装置の大きさや部品数などによって、活用できるスペースが異なってくる。
【先行技術文献】
【特許文献】
【０００３】
【特許文献１】特開２０１８−８０４５５号公報
【発明の概要】
【発明が解決しようとする課題】
【０００４】
ここで、特許文献１に記載された水洗大便器装置では、オーバーフロー管が接続されるオーバーフロー開口がタンク本体の側面に一体的に形成されている。このような場合には、タンク本体が共通であっても、製品ごとに機能部の構成が異なり活用できるスペースが異なる場合には、オーバーフロー管の取り回しが困難になったり、オーバーフロー管の接続作業が難しかったりすることがある。
【０００５】
本発明は、上記の問題に鑑みなされたものであり、その目的は、機能部の構成が異なっても、オーバーフロー管の取り回しや接続作業を容易に行うことができる水洗大便器装置を提供することである。
【課題を解決するための手段】
【０００６】
本発明の水洗大便器装置は、タンク装置から便器本体に洗浄水が供給される水洗大便器装置であって、タンク装置は、便器本体に供給される洗浄水が貯留部に貯留され、開口部が形成されたタンク本体と、タンク本体の開口部に着脱可能に取り付けられ、内部空間がタンク本体の貯留部に連通する連結ユニットと、を備え、連結ユニットには、オーバーフロー管が接続され、内部空間の洗浄水を外部に逃がすことができるオーバーフロー開口が形成されている、ことを特徴とする。
【０００７】
上記構成の本発明によれば、着脱可能な連結ユニットを取り換えることにより、オーバーフロー開口の位置を変えることができるため、製品ごとに異なるオーバーフロー開口の取り回しが可能になるとともに、オーバーフロー管の接続作業に適するようにオーバーフロー開口の位置を変更することができる。さらに、オーバーフロー水位をタンク本体の上端よりも上方にすることができ、タンク本体の容積を最大限活用できる。
【０００８】
本発明において、好ましくは、連結ユニットには、内部空間へ洗浄水を供給する給水管が接続される給水口が形成されている。
上記構成の本発明によれば、連結ユニットを交換することにより、給水管の取り回しに適した位置に給水口を配置することができる。
【０００９】
本発明において、好ましくは、給水口は開口部に対して水平方向に偏心して設けられている。
上記構成の本発明によれば、給水口から供給された洗浄水は、一度連結ユニットの底面に衝突した後、開口部からタンク本体に供給される。このため、給水時における静音化及び水はねの抑制を実現できる。
【００１０】
本発明において、好ましくは、給水口の鉛直下方に開口部に向かって傾斜する傾斜面が設けられている。
上記構成の本発明によれば、傾斜面を設けることにより給水時に洗浄水が衝突する際の音を抑えることができるとともに、水はねの抑制を実現できる。
【００１１】
本発明において、好ましくは、連結ユニットのオーバーフロー開口の上方には、内部空間と外部とを連通させる、第２のオーバーフロー開口が設けられている。
上記構成の本発明によれば、連結ユニットを交換することにより、各国の規格に対応したタンク装置を構成することができる。
【００１２】
本発明において、好ましくは、連結ユニットには、タンク本体の開口部に接続される給水開口部が形成されており、連結ユニットは、給水開口部が洗浄水により密閉されるのを防止する密閉防止手段を有する。
上記構成の本発明によれば、密閉防止手段により給水開口部が洗浄水により密閉されるのを防止できるため、配管が水により閉塞されることに起因する異音などが発生することなく、洗浄水が給水開口部をスムーズに流れる。
【００１３】
本発明において好ましくは、給水開口部内を水平断面内において洗浄水が流れる洗浄水流路と、空気が流れる空気流路とに区画する壁部を有する。
上記構成の本発明によれば、壁部により給水開口部の内部空間が、洗浄水流路と、空気が流れる空気流路とに区画されるため、確実に空気が流れる空気流路を確保することができ、給水開口部が洗浄水により密閉されるのを防止できる。
【００１４】
本発明において、好ましくは、壁部の側方において、空気流路は内部空間に連通している。
上記構成の本発明によれば、タンク本体から排出される空気が空気流路を流通し、壁部の側方を通って内部区間に排出されるため、給水開口部が洗浄水により密閉されるのを防止できる。
【００１５】
本発明において、好ましくは、壁部の上方において、空気流路は内部空間に連通している。
上記構成の本発明によれば、タンク本体から排出される空気が空気流路を流通し、壁部の上方を通って内部区間に排出されるため、給水開口部が洗浄水により密閉されるのを防止できる。
【００１６】
本発明において、好ましくは、密閉防止手段は、さらに、一端が外部に連通する空気逃がし流路を形成する空気流路形成部材を含み、空気流路は空気逃がし流路の他端に連通している。
上記構成の本発明によれば、タンク本体から排出される空気が空気流路から空気逃がし流路を通り外部に排出されるため、給水開口部が洗浄水により密閉されるのを防止できる。
【発明の効果】
【００１７】
本発明によれば、機能部の構成が異なっても、オーバーフロー管の取り回しや接続作業を容易に行うことができる水洗大便器装置を提供することができる。
【図面の簡単な説明】
【００１８】
【図１】本発明の第１実施形態による水洗大便器装置を示す斜視図である。
【図２】本発明の第１実施形態による水洗大便器装置の構成を示す構成図である。
【図３】図１に示す水洗大便器装置のタンク装置の縦断面図である。
【図４】オーバーフロー管及び給水部材の接続位置を変更するために、連結ユニットを交換した図１に示す水洗大便器装置のタンク装置の縦断面図である。
【図５】欧州規格に対応するために、連結ユニットを交換した図１に示す水洗大便器装置のタンク装置の縦断面図である。
【図６】第２実施形態の水洗大便器装置の連結ユニットを示す斜視図である。
【図７】第２実施形態の水洗大便器装置の連結ユニットを示す上面図である。
【図８】第２実施形態の水洗大便器装置の連結ユニットを示す、図７におけるＡ−Ａ断面図である。
【図９】第２実施形態の水洗大便器装置の連結ユニットを示す、図７におけるＢ−Ｂ断面図である。
【図１０】第３実施形態の水洗大便器装置の連結ユニットを示す斜視図である。
【図１１】第３実施形態の水洗大便器装置の連結ユニットを示す上面図である。
【図１２】第３実施形態の水洗大便器装置の連結ユニットを示す、図１１におけるＡ−Ａ断面図である。
【図１３】第４実施形態の水洗大便器装置の連結ユニットを示す斜視図である。
【図１４】第４実施形態の水洗大便器装置の連結ユニットを示す上面図である。
【図１５】第４実施形態の水洗大便器装置の連結ユニットを示す、図１６におけるＢ−Ｂ断面図である。
【図１６】第４実施形態の水洗大便器装置の連結ユニットを示す、図１４におけるＡ−Ａ断面図である。
【発明を実施するための形態】
【００１９】
＜第１実施形態＞
以下、本発明の水洗大便器装置の第１実施形態を図面を参照しながら詳細に説明する。
図１は、本発明の第１実施形態による水洗大便器装置を示す斜視図である。また、図２は、本発明の第１実施形態による水洗大便器装置の構成を示す構成図である。図１に示すように、本実施形態による水洗大便器装置１は、便器本体２と、タンク装置４とを備える。
【００２０】
便器本体２は、汚物を受けるボウル部２ａと、ボウル部２ａの底部から延びる排水トラップ管２ｂと、を有する。ボウル部２ａにはタンク装置４から延びる吐水管６が接続されている。
【００２１】
タンク装置４には外部から洗浄水が供給される給水管８が接続されている。給水管８には止水栓１８が設けられており、タンク装置４への洗浄水の供給を制御することができる。また、タンク装置４から吐水管６が便器本体２に延びており、タンク装置４から便器本体２に洗浄水が供給され、排便後の洗浄を行うことができる。
【００２２】
タンク装置４は、バルブユニット１２と、連結ユニット１４と、タンクユニット１６とを備える。給水管８はバルブユニット１２を介して連結ユニット１４に接続されている。連結ユニット１４はタンクユニット１６に接続されている。
【００２３】
バルブユニット１２は、給水管８に設けられた定流量弁２０と、定流量弁２０の下流に設けられたダイヤフラム式の電磁弁２２とを備える。定流量弁２０は、給水管８を流れ込む洗浄水の流量を一定にする。電磁弁２２は、ダイヤフラム２２Ａを電磁的に開閉させることにより、連結ユニット１４を介するタンクユニット１６への洗浄水の供給を制御する。
【００２４】
図３は、図１に示す水洗大便器装置のタンク装置の縦断面図である。図３に示すように、連結ユニット１４は、ハウジング２４を有する。連結ユニット１４は、タンクユニット１６の上方に着脱可能に接続されている。ハウジング２４は、底面に筒状の給水開口部２４Ａが形成されており、また、一方の側壁（図３の左側側壁）の下部にはオーバーフロー開口２４Ｂが形成されている。オーバーフロー開口２４Ｂには、オーバーフロー管６Ａ（図１、図２）が接続されており、オーバーフロー管６Ａは、吐水管６に接続されている。このオーバーフロー開口２４Ｂの下端高さＡがオーバーフロー水位となる。また、オーバーフロー開口２４Ｂには、逆止弁３０が取り付けらえている。なお、図３に示すハウジング２４では、逆止弁３０が一方の側壁の内側に設けられている。逆止弁３０はハウジング２４の内部空間２４Ｃからオーバーフロー管６Ａへ水が流れるのを可能にし、オーバーフロー管６Ａからハウジング２４の内部空間２４Ｃへの流れを妨げる。ハウジング２４の給水開口部２４Ａは、タンクユニット１６のタンク本体３２の開口部３２Ｂに着脱可能に接続されている。
【００２５】
ハウジング２４の一方の側壁（図３の左側側壁）上部には、給水管８に接続され、給水口２６Ａからハウジング２４内の内部空間２４Ｃに洗浄水を給水する給水部材２６が設けられている。また、ハウジング２４の底面には傾斜部２８が設けられている。傾斜部２８の上面（傾斜面）は給水開口部２４Ａに向かって下方に傾斜している。給水部材２６は、ハウジング２４の給水開口部２４Ａから水平方向に偏心して設けられており、傾斜部２８は給水部材２６の給水口２６Ａの鉛直下方に設けられている。
【００２６】
タンクユニット１６は、タンク本体３２と、ポンプユニット３４と、フロートスイッチ３６と、水抜き栓３８と、を備える。タンク本体３２は、水平断面視でコの字型に形成されており、内部に貯留部３２Ａが形成されている。また、タンク本体３２の上部には開口部３２Ｂが形成されており、開口部３２Ｂにはハウジング２４の給水開口部２４Ａが接続されている。これにより、ハウジング２４の内部空間２４Ｃはタンク本体３２の貯留部３２Ａと連通している。
【００２７】
ポンプユニット３４には、通水管３４Ａ及び吐水管６が接続されている。図３に示すように、通水管３４Ａの先端は、タンク本体３２の貯留部３２Ａの下部に配置されている。水洗大便器装置１の使用者によりポンプユニット３４が駆動されると、ポンプユニット３４はタンク本体３２の貯留部３２Ａ内の洗浄水を通水管３４Ａから吸い込み、吐水管６へと送出する。吐水管６へ送出された洗浄水は、便器本体２のボウル部２ａに吐出される。
【００２８】
フロートスイッチ３６は、タンク本体３２内の水位を検知する。フロートスイッチ３６はバルブユニット１２の電磁弁２２に連動している。電磁弁２２はタンク本体３２内の水位が所定の水位以下の場合には給水管８を開放し、所定の水位まで到達すると給水管８を閉鎖する。
【００２９】
水抜き栓３８は、タンク本体３２の底面に設けられている。水抜き栓３８は、常時は閉鎖されており、必要に応じて開放され、これにより、タンク本体３２内の洗浄水を外部に排出することができる。
【００３０】
以下、本実施形態の水洗大便器装置１の作動について説明する。
タンクユニット１６のタンク本体３２内の貯留部３２Ａには洗浄水が貯留されている。使用者がリモコンなどにより水洗大便器装置１の洗浄スイッチを起動すると、ポンプユニット３４が駆動され、タンク本体３２の貯留部３２Ａ内の洗浄水が吐水管６に送出され、便器本体２のボウル部２ａに吐出される。この際、連結ユニット１４のオーバーフロー開口２４Ｂに逆止弁３０が取り付けられているため、オーバーフロー管６Ａに吐水管６から洗浄水が流れ込んでも、連結ユニット１４のハウジング２４内に流れこむのを防止できる。
【００３１】
タンク本体３２の貯留部３２Ａ内の洗浄水が吐出され、貯留部３２Ａ内の水位が低下すると、フロートスイッチ３６が水位の低下を検出する。フロートスイッチ３６により水位の低下が検知されると、電磁弁２２により給水管８が開放され、連結ユニット１４の給水部材２６の給水口２６Ａから洗浄水が連結ユニット１４のハウジング２４内へ下方に向かって供給される。そして、給水部材２６の給水口２６Ａから供給された洗浄水は、傾斜部２８の上面に落下する。
【００３２】
連結ユニット１４のハウジング２４内に供給された洗浄水は、タンク本体３２の開口部３２Ｂを通り、タンク本体３２内の貯留部３２Ａに注ぎ込まれる。そして、フロートスイッチ３６がタンク本体３２の貯留部３２Ａ内の所定の高さまで洗浄水の水位が達したのを検知すると、電磁弁２２により給水管８が閉鎖される。
【００３３】
ここで、フロートスイッチ３６や電磁弁２２の故障により、貯留部３２Ａ内の水位が所定の高さまで到達しても、電磁弁２２により給水管８が閉鎖されない場合には、貯留部３２Ａへの洗浄水の供給が続けられる。そして、洗浄水の水位が連結ユニット１４のハウジング２４のオーバーフロー開口２４Ｂの下端まで到達すると、洗浄水はオーバーフロー開口２４Ｂからオーバーフロー管６Ａへ流れこみ、吐水管６を介して便器本体２のボウル部２ａに排出される。
【００３４】
なお、例えば、スペースの関係でオーバーフロー管６Ａや給水部材２６を、連結ユニット１４のハウジング２４の一方の側壁（図３の左側側壁）に接続できない場合には、連結ユニット１４を変更すればよい。図４は、オーバーフロー管及び給水部材の接続位置を変更するために、連結ユニットを交換した図１に示す水洗大便器装置のタンク装置の縦断面図である。図４に示すように、交換用連結ユニット１１４は、他方の側壁（図４の右側側壁）の下部にオーバーフロー開口１２４Ｂが形成されている。また、ハウジング１２４の他方の側壁（図４の右側側壁）上部には、給水管８に接続され、給水口１２６Ａからハウジング１２４内の内部空間１２４Ｃに洗浄水を給水する給水部材１２６が設けられている。これにより、オーバーフロー管６Ａ及び給水部材２６を他方の側壁に接続することができる。
【００３５】
また、例えば、欧州規格では、オーバーフロー管が接続される開口以外に、外部に開放されたオーバーフロー開口を設ける必要がある。図５は、欧州規格に対応するために、連結ユニットを交換した図１に示す水洗大便器装置のタンク装置の縦断面図である。図５に示すように、規格対応用連結ユニット２１４は、一方の側壁（図５の左側側壁）の下部にはオーバーフロー開口２２４Ｂが形成されており、このオーバーフロー開口２２４Ｂにはオーバーフロー管６Ａが接続される。さらに、一方の側壁のオーバーフロー開口２２４Ｂの上方には、第２のオーバーフロー開口２２４Ｄが形成されている。この第２のオーバーフロー開口２２４Ｄを通じて、ハウジング２２４の内部空間２２４Ｃは外部空間と連通している。また、規格対応用連結ユニット２１４では、逆止弁３０が一方の側壁の内側に設けられている。このような構成の連結ユニットに変更することにより、欧州規格に対応することができる。なお、第２のオーバーフロー開口２２４Ｄは、オーバーフロー開口２２４Ｂが形成されている一方の側壁に形成される必要はない。
【００３６】
図３〜図５に示す連結ユニット１４、１１４、２１４において、傾斜部２８、１２８、２２８の下端が湾曲部Ｂとして形成されている。この湾曲部Ｂは、傾斜部２８、１２８、２２８から流れる洗浄水が給水開口部２４Ａ、１２４Ａ、２２４Ａの対向する部分に到達しないような、大きな曲率を有することが好ましい。このような構成により、連結ユニット１４、１１４、２１４に給水口２６Ａ、１２６Ａ、２２６Ａから供給された洗浄水は傾斜部２８、１２８、２２８上に落下し、傾斜部２８、１２８、２２８に沿って流れた後、湾曲部Ｂに沿うように落下する。これにより、洗浄水が給水開口部２４Ａ、１２４Ａ、２２４Ａの傾斜部２８、１２８、２２８近傍の領域を流れ、給水開口部２４Ａ、１２４Ａ、２２４Ａの全断面が洗浄水により密閉されるのを防止することができる。タンクユニット１６に洗浄水が供給されると、タンクユニット１６内の空気が排出されるが、タンクユニット１６から排出される空気は、給水開口部２４Ａ、１２４Ａ、２２４Ａの傾斜部２８、１２８、２２８と反対側の領域を流通することができる。これにより、配管が水により閉塞されることに起因する異音などが発生することなく、給水開口部２４Ａ、１２４Ａ、２２４Ａをスムーズに流れる。このように、傾斜部２８、１２８、２２８の下端が湾曲部Ｂは、給水開口部２４Ａ、１２４Ａ、２２４Ａが洗浄水により密閉されるのを防止する密閉防止手段として機能する。
【００３７】
以上説明したように、本実施形態によれば、以下の効果が奏される。
本実施形態によれば、着脱可能な連結ユニット１４、１１４を取り換えることにより、オーバーフロー開口２４Ｂ、２２４Ｂの位置を変えることができるため、製品ごとに異なるオーバーフロー開口２４Ｂ、２２４Ｂの取り回しが可能になるとともに、オーバーフロー管６Ｂの接続作業に適するようにオーバーフロー開口２４Ｂ、２２４Ｂの位置を変更することができる。さらに、オーバーフロー水位をタンク本体３２の上端よりも上方にすることができ、タンク本体３２の容積を最大限活用できる。
【００３８】
また、本実施形態では、連結ユニット１４、１１４には、内部空間２４Ｃへ洗浄水を供給する給水管８が接続される給水口２６Ａが形成されている。このような構成により、連結ユニット１４、１１４を交換することにより、給水管８の取り回しに適した位置に給水口２６Ａを配置することができる。
【００３９】
また、本実施形態では、給水口２６Ａはタンク本体３２の開口部３２Ｂに対して水平方向に偏心して設けられている。このような構成により、給水口２６Ａから供給された洗浄水は、一度連結ユニット１４、１１４、２１４の底面に衝突した後、開口部３２Ｂからタンク本体３２に供給される。このため、給水時における静音化及び水はねの抑制を実現できる。
【００４０】
また、本実施形態では、給水口２６Ａの鉛直下方にタンク本体３２の開口部３２Ｂに向かって傾斜する傾斜部２８が設けられている。このような構成により、給水時に洗浄水が衝突する際の音を抑えることができるとともに、水はねの抑制を実現できる。
【００４１】
また、本実施形態では、連結ユニット２１４のオーバーフロー開口２２４Ｂの上方には、内部空間２２４Ｃと外部とを連通させる、第２のオーバーフロー開口２２４Ｄが設けられている。このような構成により、連結ユニット１４、２１４を交換することにより、各国の規格に対応したタンク装置を構成することができる。
【００４２】
また、本実施形態では、連結ユニット１４、１１４、２１４において、密閉防止手段として、傾斜部２８、１２８、２２８の下端に湾曲部Ｂを形成されている。これより給水開口部２４Ａ、１２４Ａ、２２４Ａが洗浄水により密閉されるのを防止できる。これにより、配管が水により閉塞されることに起因する異音などが発生することなく、洗浄水が給水開口部２４Ａ、１２４Ａ、２２４Ａをスムーズに流れる。
【００４３】
なお、上記実施形態では、連結ユニット１４、１１４、２１４をタンク本体３２の上方に設けているが、側方に設けることも可能である。
【００４４】
なお、上記実施形態では、給水時に洗浄水が衝突する際の音を抑えるために傾斜部２８が設けられているが、傾斜部２８を設けずに給水口２６Ａからの給水を連結ユニット１４内の壁面に沿わせるように給水することで、給水時に洗浄水が衝突する際の音を抑えることも可能である。
【００４５】
また、上記の実施形態では、密閉防止手段として、傾斜部２８、１２８、２２８の下端に湾曲部Ｂを形成しているが、密閉防止手段の構成はこれに限られない。
例えば、密閉防止手段として、傾斜部２８、１２８、２２８の上面にシボ加工を施してもよい。シボ加工を施すことにより、傾斜部２８、１２８、２２８の上面には微細な凹凸が形成される。これにより、傾斜部２８、１２８、２２８の親水性が向上し、給水口２６Ａ、１２６Ａ、２２６Ａから供給された洗浄水は傾斜部２８、１２８、２２８に沿って流れ、給水開口部２４Ａ、１２４Ａ、２２４Ａの傾斜部２８、１２８、２２８側の部分を流れる。このため、給水開口部２４Ａ、１２４Ａ、２２４Ａの全断面が洗浄水により密閉されるのを防止することができ、給水開口部２４Ａ、１２４Ａ、２２４Ａの傾斜部２８、１２８、２２８と反対側の領域を、タンクユニット１６から排出される空気が流通することができる。このように、傾斜部２８、１２８、２２８にシボ加工により形成された凹凸も、給水開口部２４Ａ、１２４Ａ、２２４Ａが洗浄水により密閉されるのを防止する密閉防止手段として機能する。
【００４６】
また、給水開口部２４Ａ、１２４Ａ、２２４Ａが洗浄水により密閉されるのを防止する手段として、給水開口部２４Ａ、１２４Ａ、２２４Ａの直径を大きくすることも可能である。給水開口部２４Ａ、１２４Ａ、２２４Ａの直径を大きくすることで、傾斜部２８、１２８、２２８に沿って流れた洗浄水は、給水開口部２４Ａ、１２４Ａ、２２４Ａの傾斜部２８、１２８、２２８側の部分を流れる。このため、給水開口部２４Ａ、１２４Ａ、２２４Ａの全断面が洗浄水により密閉されるのを防止することができ、給水開口部２４Ａ、１２４Ａ、２２４Ａの傾斜部２８、１２８、２２８と反対側の領域を、タンクユニット１６から排出される空気が流通することができる。
【００４７】
＜第２実施形態＞
以下、本発明の水洗大便器装置の第２実施形態を説明する。なお、第２実施形態における水洗大便器装置は、連結ユニットの構成のみが第１実施形態と異なっている。
図６〜図９は、第２実施形態の水洗大便器装置の連結ユニットを示し、図６は斜視図、図７は上面図、図８は図７におけるＡ−Ａ断面図、図９は図７におけるＢ−Ｂ断面図である。なお、図６及び図７では、給水部材及び逆止弁を省略して図示する。
【００４８】
図６〜図９に示すように、連結ユニット３１４は、ハウジング３２４を有する。ハウジング３２４は、上方が開放し、下方が閉塞された筒状の本体部３４０と、本体部３４０と一体に形成された供給部３４２とを有する。本体部３４０の内部空間と供給部３４２の内部空間とは連通している。
【００４９】
本体部３４０は、平坦な底板３４０Ａと、底板３４０Ａから鉛直上方に延びるように立設された側壁３４０Ｂ、３４０Ｃ、３４０Ｄ、３４０Ｅとにより構成されている。底板３４０Ａは、供給部３４２と干渉する部分が円弧状に切りかかれている。側壁３４０Ｂは平面視円弧状に形成されており、供給部３４２と干渉する部分が切り欠かれている。側壁３４０Ｃは、側壁３４０Ｂの一方の側縁から平面視接線方向に延びており、平坦に形成されている。側壁３４０Ｄは、側壁３４０Ｃの側縁から平面視直角に折れ曲がって延びている。側壁３４０Ｅは、側壁３４０Ｄの側縁から平面視鈍角に折れ曲がり、側壁３４０Ｂの他方の縁に接続されている。
【００５０】
本体部３４０の側壁３４０Ｅの上部には開口３４０Ｅ１が形成されており、この開口３４０Ｅ１に給水部材３２６（図９）が取り付けられる。給水部材３２６は、ハウジング３２４の給水開口部３２４Ａから水平方向に偏心して取り付けられる。また、本体部３４０の側壁３４０Ｄの下部には開口部３２４Ｂが形成されており、このオーバーフロー開口部３２４Ｂには、オーバーフロー管６Ａ（図１、図２）が接続されており、オーバーフロー管６Ａは、吐水管６に接続されている。なお、第１実施形態と同様に、オーバーフロー開口部３２４Ｂには逆止弁３３０が取り付けられている。
【００５１】
供給部３４２は、水平断面が円環状の側壁３４２Ａと、側壁３４２Ａの上部を閉塞する天板３４２Ｂとを有する。側壁３４２Ａは、平面視円環状であり、本体部３４０と干渉する部分が切りかかれている。側壁３４２Ａは、下端が本体部３４０の底板３４０Ａよりも下方まで延出している。供給部３４２の下方は開放されており、供給部３４２により給水開口部３２４Ａが形成されている。天板３４２Ｂは側壁３４２Ａの上部を閉鎖しており、一部が傾斜面として形成されている。ハウジング３２４の給水開口部３２４Ａは、タンクユニット１６のタンク本体３２の開口部３２Ｂに着脱可能に接続されている。
【００５２】
また、連結ユニット３１４は、給水開口部３２４Ａ内を鉛直方向に延びる壁部３４４を有する。壁部３４４は側壁３４２Ａから延びる基部３４４Ａと、基部３４４Ａの側縁から折れ曲がって延びる本体部３４４Ｂとを有する。本体部３４４Ｂは、一面が本体部３４０を向くように配置されている。壁部３４４の上端は供給部３４２の天板３４２Ｂに接続されている。壁部３４４により給水開口部３２４Ａは、壁部３４４と側壁３４２Ａとで挟まれた空気流路３４６Ａと、壁部３４４の本体部３４０側の洗浄水流路３４６Ｂとに区画されている。洗浄水流路３４６Ｂは、ハウジング３２４の本体部３４０の内部空間と連通している。また、空気流路３４６Ａは、壁部３４４の本体部３４４Ｂの先端と側壁３４２Ａとの間を通じて、洗浄水流路３４６Ｂとつながっている。これにより、空気流路３４６Ａは壁部３４４の側方において、本体部３４０の内部空間と連通している。
【００５３】
給水部材３２６から供給された洗浄水は、本体部３４０内に流れ込む。そして、本体部３４０内に流れこんだ洗浄水は、給水開口部３２４Ａ内が壁部３４４により区画されているため、空気流路３４６Ａ内に入り込むことなく、概ね洗浄水流路３４６Ｂを流れる。この際、洗浄水が流入することによりタンクユニット１６から空気流路３４６Ａに排出される空気が流通することができる。このため、配管が水により閉塞されることに起因する異音などが発生することなく、洗浄水が給水開口部３２４Ａをスムーズに流れる。このように、本実施形態における壁部３４４は、給水開口部３２４Ａが洗浄水により密閉されるのを防止する密閉防止手段として機能する。
【００５４】
本実施形態によれば、第１実施形態で奏される効果に加えて、以下の効果が奏される。
本実施形態によれば、壁部３４４により給水開口部３２４Ａの内部空間が、洗浄水流路３４６Ｂと、空気が流れる空気流路３４６Ａとに区画されるため、確実に空気が流れる空気流路３４６Ａを確保することができ、給水開口部３２４Ａが洗浄水により密閉されるのを防止できる。
【００５５】
また、本実施形態では、壁部３４４の側方において、空気流路３４６Ａが本体部３４０の内部空間に連通している。これにより、本体部３４０から排出される空気が空気流路３４６Ａを流通し、壁部３４４の側方を通って内部区間に排出されるため、給水開口部３２４Ａが洗浄水により密閉されるのを防止できる。
【００５６】
＜第３実施形態＞
以下、本発明の水洗大便器装置の第３実施形態を説明する。なお、第３実施形態における水洗大便器装置は、連結ユニットにおける壁部の構成のみが第２実施形態と異なっている。
図１０〜図１２は、第３実施形態の水洗大便器装置の連結ユニットを示し、図１０は斜視図、図１１は上面図、図１２は図１１におけるＡ−Ａ断面図である。なお、図１０及び図１１では、給水部材及び逆止弁を省略して図示する。上述の通り、本実施形態では、連結ユニット４１４の壁部４４４の構成が、第２実施形態の壁部３４４と異なっているものの、ハウジング３２４の構成は同一であるため、ハウジング３２４に関しては同じ符号を付して詳細な説明を省略する。
【００５７】
図１０〜図１２に示すように、連結ユニット４１４は、給水開口部３２４Ａ内を鉛直方向に延びる壁部４４４を有する。図１１に示すように、壁部４４４は一面が本体部３４０を向くように配置されており、両側縁が供給部３４２の側壁３４２Ａに接続されている。図１２に示すように、壁部４４４の上縁と、供給部３４２の天板３４２Ｂとの間には隙間が形成されている。壁部４４４により給水開口部３２４Ａは、壁部４４４に対して本体部３４０側の洗浄水流路４４６Ｂと、反対側の空気流路３４６Ａに区画されている。洗浄水流路４４６Ｂは、ハウジング３２４の本体部３４０の内部空間と連通しており、空気流路４４６Ａは、壁部４４４の上縁と、側壁３４２Ａとの間を通じて、洗浄水流路４４６Ｂとつながっている。これにより、空気流路４４６Ａは、壁部４４４の上方において本体部３４０の内部空間と連通している。
【００５８】
給水部材３２６から供給された洗浄水は、本体部３４０内に流れ込む。そして、本体部３４０内に流れこんだ洗浄水は、給水開口部３２４Ａ内が壁部４４４により区画されているため、空気流路４４６Ａ内に入り込むことなく、概ね洗浄水流路４４６Ｂを流れる。この際、洗浄水が流入することによりタンクユニット１６から排出される空気が空気流路４４６Ａを流通することができる。このため、配管が水により閉塞されることに起因する異音などが発生することなく、洗浄水が給水開口部３２４Ａをスムーズに流れる。このように、本実施形態における壁部４４４は、給水開口部３２４Ａが洗浄水により密閉されるのを防止する密閉防止手段として機能する。
【００５９】
本実施形態によれば、第１実施形態で奏される効果に加えて、以下の効果が奏される。
本実施形態によれば、壁部４４４により給水開口部４２４Ａの内部空間が、洗浄水流路４４６Ｂと、空気が流れる空気流路４４６Ａとに区画されるため、確実に空気が流れる空気流路４４６Ａを確保することができ、給水開口部３２４Ａが洗浄水により密閉されるのを防止できる。
【００６０】
また、本体部３４０から排出される空気が空気流路４４６Ｂを流通し、壁部４４４の上方を通って内部区間に排出されるため、給水開口部３２４Ａが洗浄水により密閉されるのを防止できる。
【００６１】
＜第４実施形態＞
以下、本発明の水洗大便器装置の第４実施形態を説明する。なお、第４実施形態における水洗大便器装置は、連結ユニットの構成のみが第１実施形態と異なっている。
【００６２】
図１３〜図１６は、第４実施形態の水洗大便器装置の連結ユニットを示し、図１３は斜視図、図１４は上面図、図１５は図１６におけるＢ−Ｂ断面図、図１６は図１４におけるＡ−Ａ断面図である。なお、図１３では、給水部材及び逆止弁を省略し、図１６では給水部材を省略して図示する。
【００６３】
図１３〜図１６に示すように、連結ユニット５１４は、ハウジング５２４を有する。ハウジング５２４は、上方が開放し、下方が閉塞された筒状の本体部５４０と、本体部５４０と一体に形成された供給部５４２とを有する。本体部５４０の内部空間と供給部５４２の内部空間とは連通している。
【００６４】
本体部５４０は、平坦な底板５４０Ａと、底板５４０Ａから鉛直上方に延びるように立設された側壁５４０Ｂ、５４０Ｃ、５４０Ｄ、５４０Ｅとにより構成されている。底板５４０Ａは、供給部５４２と干渉する部分が円弧状に切りかかれている。側壁５４０Ｂは平面視円弧状に形成されており、供給部５４２と干渉する部分が切り欠かれている。側壁５４０Ｃは、側壁５４０Ｂの一方の側縁から平面視接線方向に延びており、平坦に形成されている。側壁５４０Ｄは、側壁５４０Ｃの側縁から平面視直角に折れ曲がって延びている。側壁５４０Ｅは、側壁５４０Ｄの側縁から平面視鈍角に折れ曲がり、側壁５４０Ｂの他方の縁に接続されている。
【００６５】
本体部５４０の側壁５４０Ｅの上部には開口５４０Ｅ１が形成されており、この開口５４０Ｅ１に給水部材５２６（図１４）が取り付けられる。給水部材５２６は、ハウジング５２４の給水開口部５２４Ａから水平方向に偏心して取り付けられる。また、本体部５４０の側壁５４０Ｄの下部には開口部５２４Ｂが形成されており、このオーバーフロー開口部５２４Ｂには、オーバーフロー管６Ａ（図１、図２）が接続されており、オーバーフロー管６Ａは、吐水管６に接続されている。なお、第１実施形態と同様に、オーバーフロー開口部５２４Ｂには逆止弁５３０が取り付けられている。
【００６６】
供給部５４２は、平面視円環状の側壁５４２Ａと、側壁５４２Ａの上部を閉塞する天板５４２Ｂとを有する。側壁５４２Ａは、円環状であり、本体部５４０と干渉する部分が切りかかれている。側壁５４２Ａは、下端が本体部５４０の底板５４０Ａよりも下方まで延出している。供給部５４２の下方は開放されており、供給部５４２により給水開口部５２４Ａが形成されている。天板５４２Ｂは側壁５４２Ａの上部を閉鎖しており、水平に設けられた水平部５４２Ｂ２と、水平方向に対して傾斜した傾斜部５４２Ｂ１とを有する。天板５４２Ｂの水平部５４２Ｂ２には、後述する空気流路形成部材５４６の水平断面形状に対応する形状を有する開口部５４２Ｂ３が形成されている。ハウジング５２４の給水開口部５２４Ａは、タンクユニット１６のタンク本体３２の開口部３２Ｂに着脱可能に接続されている。
【００６７】
また、連結ユニット５１４は、給水開口部５２４Ａ内を鉛直方向に延びる壁部５４４を有する。壁部５４４は、平坦な平坦部５４４Ａと、水平断面円弧状の円弧部５４４Ｂとを有する。
【００６８】
平坦部５４４Ａは、天板５４２Ｂの傾斜部５４２Ｂ１と水平部５４２Ｂ２との境界に沿って延びる。平坦部５４４Ａは、側壁５４２Ａから本体部５４０の円弧状の側壁５４０Ｂに当たる位置まで延びている。平坦部５４４Ａの上縁は、天板５４２Ｂの水平部５４２Ｂ２の下面に接続されている。円弧部５４４Ｂは、本体部５４０の側壁５４０Ｂと同様の円弧状に形成されている。円弧部５４４Ｂは、平坦部５４４Ａの側縁から本体部５４０の側壁５４０Ｂの切りかかれた部分の縁まで延びている。円弧部５４４Ｂの上縁は、本体部５４０の側壁５４０Ｂの切りかかれた部分の上縁に接続されている。これにより、給水開口部５２４Ａは、本体部５４０の内部空間に連通する洗浄水流路５４６Ｂと、本体部５４０の内部空間から隔離された空気流路５４６Ａとに区画されている。
【００６９】
また、連結ユニット５１４は、本体部５４０の側壁５４０Ｂの外壁に沿うように設けられた空気流路形成部材５４６を備える。空気流路形成部材５４６は、水平断面がコの字形であり、開放された側の両側縁が本体部５４０の側壁５４０Ｂの外壁に接続されている。空気流路形成部材５４６は下縁が、供給部５４２の天板５４２Ｂの開口５４２Ｂ３の縁に接続されている。このような構成により、空気流路形成部材５４６と、本体部５４０の側壁５４０Ｂとの間には、空気逃がし流路が形成される。そして、この空気逃がし流路は、上端が外部に連通し、下端が空気流路５４６Ａに連通する。
【００７０】
給水部材５２６から供給された洗浄水は、本体部５４０内に流れ込む。そして、本体部５４０内に流れこんだ洗浄水は、給水開口部５２４Ａ内が壁部５４４により区画されているため、空気流路５４６Ａ内に入り込むことなく、概ね洗浄水流路５４６Ｂを流れる。この際、洗浄水が流入することによりタンクユニット１６から排出される空気が空気流路５４６Ａ及び空気逃がし流路を流通することができる。このため、配管が水により閉塞されることに起因する異音などが発生することなく、洗浄水が給水開口部５２４Ａをスムーズに流れる。このように、本実施形態における壁部５４４及び空気流路形成部材５４６は、給水開口部５２４Ａが洗浄水により密閉されるのを防止する密閉防止手段として機能する。
【００７１】
本実施形態によれば、第１実施形態で奏される効果に加えて、以下の効果が奏される。
本実施形態によれば、壁部５４４により給水開口部５２４Ａの内部空間が、洗浄水流路５４６Ｂと、空気が流れる空気流路５４６Ａとに区画されるため、確実に空気が流れる空気流路５４６Ａを確保することができ、給水開口部５２４Ａが洗浄水により密閉されるのを防止できる。
【００７２】
また、本実施形態によれば、本体部５４０から排出される空気が空気流路５４６Ｂから空気逃がし流路を通り外部に排出されるため、給水開口部５２４Ａが洗浄水により密閉されるのを防止できる。
【符号の説明】
【００７３】
１          水洗大便器装置
２          便器本体
２ａ        ボウル部
２ｂ        排水トラップ管
４          タンク装置
６          吐水管
６Ａ        オーバーフロー管
６Ｂ        オーバーフロー管
８          給水管
１２        バルブユニット
１４        連結ユニット
１６        タンクユニット
１８        止水栓
２０        定流量弁
２２        電磁弁
２２Ａ      ダイヤフラム
２４        ハウジング
２４Ａ      給水開口部
２４Ｂ      オーバーフロー開口
２４Ｃ      内部空間
２６        給水部材
２６Ａ      給水口
２８        傾斜部
３０        逆止弁
３２        タンク本体
３２Ａ      貯留部
３２Ｂ      開口部
３４        ポンプユニット
３４Ａ      通水管
３６        フロートスイッチ
３８        水抜き栓
１１４      交換用連結ユニット
１２４      ハウジング
１２４Ａ    給水開口部
１２４Ｂ    オーバーフロー開口
１２４Ｃ    内部空間
１２６      給水部材
１２６Ａ    給水口
１２８      傾斜部
２１４      連結ユニット
２２４      ハウジング
２２４Ａ    給水開口部
２２４Ｂ    オーバーフロー開口
２２４Ｃ    内部空間
２２４Ｄ    第２のオーバーフロー開口
２２６Ａ    給水口
２２８      傾斜部
３１４      連結ユニット
３２４      ハウジング
３２４Ａ    給水開口部
３２４Ｂ    オーバーフロー開口部
３２６      給水部材
３３０      逆止弁
３４０      本体部
３４０Ａ    底板
３４０Ｂ    側壁
３４０Ｃ    側壁
３４０Ｄ    側壁
３４０Ｅ    側壁
３４０Ｅ１  開口
３４２      供給部
３４２Ａ    側壁
３４２Ｂ    天板
３４４      壁部
３４４Ａ    基部
３４４Ｂ    本体部
３４６Ａ    空気流路
３４６Ｂ    洗浄水流路
４１４      連結ユニット
４４４      壁部
４４６Ａ    空気流路
４４６Ｂ    洗浄水流路
５１４      連結ユニット
５２４      ハウジング
５２４Ａ    給水開口部
５２４Ｂ    オーバーフロー開口部
５２６      給水部材
５３０      逆止弁
５４０      本体部
５４０Ａ    底板
５４０Ｂ    側壁
５４０Ｃ    側壁
５４０Ｄ    側壁
５４０Ｅ    側壁
５４０Ｅ１  開口
５４２      供給部
５４２Ａ    側壁
５４２Ｂ    天板
５４２Ｂ１  傾斜部
５４２Ｂ２  水平部
５４２Ｂ３  開口
５４２Ｂ３  開口部
５４４      壁部
５４４Ａ    平坦部
５４４Ｂ    円弧部
５４６      空気流路形成部材
５４６Ａ    空気流路
５４６Ｂ    洗浄水流路
Ａ          下端高さ
Ｂ          湾曲部
【図１】
2020051236.tif 000003
【図２】
2020051236.tif 000004
【図３】
2020051236.tif 000005
【図４】
2020051236.tif 000006
【図５】
2020051236.tif 000007
【図６】
2020051236.tif 000008
【図７】
2020051236.tif 000009
【図８】
2020051236.tif 000010
【図９】
2020051236.tif 000011
【図１０】
2020051236.tif 000012
【図１１】
2020051236.tif 000013
【図１２】
2020051236.tif 000014
【図１３】
2020051236.tif 000015
【図１４】
2020051236.tif 000016
【図１５】
2020051236.tif 000017
【図１６】
2020051236.tif 000018